(57)【要約】【課題】ダクトの通風抵抗を増すことなく管球部上部を効率よく冷却する。【解決手段】送風口から冷却風を送風するシロッコファン６０と、シロッコファン６０の送風口６１に接続され、吹出開口７７からランプ光源に向けて冷却風を吹き出すダクト７０と、を備えるランプ光源の冷却装置において、送風口６１における上下方向の中央位置における水平面を基準面Ｐとしたとき、基準面Ｐより上側に位置する吹出開口７７における上側部分７７Ｕの開口面積を、基準面Ｐより上側に位置する送風口６１における上側部分６１Ｕの開口面積よりも小さくし、基準面Ｐより下側に位置する吹出開口７７における下側部分７７Ｄの開口面積を、基準面Ｐより下側に位置する送風口６１における下側部分６１Ｄの開口面積よりも大きく形成した。【選択図】図５
2016162724.tif 000002
【特許請求の範囲】
【請求項１】
送風口から冷却風を送風するファンと、前記ファンの前記送風口に接続され、吹出開口からランプ光源に向けて前記冷却風を吹き出すダクトと、を備えるランプ光源の冷却装置において、
前記送風口における上下方向の中央位置における水平面を基準面としたとき、
前記基準面より上側に位置する前記吹出開口における上側部分の開口面積を、前記基準面より上側に位置する前記送風口における上側部分の開口面積よりも小さく形成したことを特徴とするランプ光源の冷却装置。
【請求項２】
送風口から冷却風を送風するファンと、前記ファンの前記送風口に接続され、吹出開口からランプ光源に向けて前記冷却風を吹き出すダクトと、を備えるランプ光源の冷却装置において、
前記送風口における上下方向の中央位置における水平面を基準面としたとき、
前記基準面より下側に位置する前記吹出開口における下側部分の開口面積を、前記基準面より下側に位置する前記送風口における下側部分の開口面積よりも大きく形成したことを特徴とするランプ光源の冷却装置。
【請求項３】
前記ダクトは、上側案内板、下側案内板、及び対向する２枚の側板を備え四角筒状に構成されてなり、
前記上側案内板、及び前記下側案内板のうちの少なくとも一方の送風方向下流側部位が上下方向へ回動可能であることを特徴とする請求項１又は２に記載のランプ光源の冷却装置。
【請求項４】
前記上側案内板及び前記下側案内板は、重心の位置が前記吹出開口側にあることを特徴とする請求項３に記載のランプ光源の冷却装置。
【請求項５】
前記上側案内板及び前記下側案内板と前記２枚の側板との間には、各板の間を塞いで前記冷却風が流出するのを防止する空気漏れ防止部材が配置されていることを特徴とする請求項３に記載のランプ光源の冷却装置。
【請求項６】
前記２枚の側板には、前記上側案内板又は前記下側案内板の位置を規制するストッパを備えることを特徴とする請求項３乃至５の何れか一項に記載のランプ光源の冷却装置。
【請求項７】
ランプ光源と、請求項１乃至５の何れか一項に記載のランプ光源の冷却装置と、前記ランプ光源からの光で画像を投影する投影光学系とを備えることを特徴とする画像投射装置。
【発明の詳細な説明】
【技術分野】
【０００１】
本発明はランプ光源の冷却装置、及び画像投射装置に関する。
【背景技術】
【０００２】
一般的にプロジェクターと称されている画像表示装置は、ランプ光源と、ランプ光源からの光路に沿って順次配置されたライトトンネル、カラーフィルタ、照明光学系、画像表示デバイス、投射光学系等を備えている。
プロジェクターのランプ光源として超高圧水銀ランプ等の放電灯を用いる場合には、管球部、前側シール部、後側シール部、先端部を適切に冷却する必要がある。冷却が適切でない場合には劣化が早まり、ランプ光源の寿命が短期化する。このような光源は重力方向上側がより高温になる性質を持っているため、重力方向上側を重点的に冷却する必要がある。
【０００３】
特許文献１には、放電灯の管球部上部を重点的に冷却するため、光源を含むランプユニットと、前記光源を冷却する冷却ファンと、前記ランプユニットに前記冷却ファンによる冷却風を誘導する冷却風導風管と、を備え、前記冷却風導風管は、自重により可動する可動式整流板を有し、前記可動式整流板は、前記可動式整流板の重心を通らない支軸を中心として自重により回動し、前記可動式整流板は、前記支軸側に開口部を有する、投射型映像表示装置が記載されている。
【発明の概要】
【発明が解決しようとする課題】
【０００４】
しかしながら、整流板を用いて冷却風を誘導する特許文献１に記載のものは、ランプ管球部を重点的に冷却するためにダクト下側の風路を塞ぐものであり、通風抵抗が増加して冷却効率が低下するという問題がある。
【０００５】
本発明は上記に鑑みてなされたものであり、ダクトの通風抵抗を増すことなく管球部上部を効率よく冷却することができるランプ光源の冷却装置、及び画像投射装置を提供することを目的とする。
【課題を解決するための手段】
【０００６】
上記課題を解決するため、請求項１記載の発明は、送風口から冷却風を送風するファンと、前記ファンの前記送風口に接続され、吹出開口からランプ光源に向けて前記冷却風を吹き出すダクトと、を備えるランプ光源の冷却装置において、前記送風口における上下方向の中央位置における水平面を基準面としたとき、前記基準面より上側に位置する前記吹出開口における上側部分の開口面積を、前記基準面より上側に位置する前記送風口における上側部分の開口面積よりも小さく形成したことを特徴とする。
【発明の効果】
【０００７】
本発明に係るランプ光源の冷却装置によれば、ダクトの通風抵抗を増すことなくランプ光源の管球部上部を効率よく冷却することができる。
【図面の簡単な説明】
【０００８】
【図１】本発明の一実施形態に係る画像表示装置の一例としてのプロジェクターの構成を示す断面略図である。
【図２】ランプ光源の概略を示す模式図である。
【図３】（ａ）及び（ｂ）は床置き設置した画像投射装置におけるランプ光源の加熱状態を示す図である。
【図４】（ａ）乃至（ｄ）は本発明の実施形態に係るランプ光源の冷却装置におけるランプ光源と冷却装置の配置状態を示す図である。
【図５】本発明の第１実施形態に係るランプ光源の冷却装置を示す図である。
【図６】比較例に係るランプ光源の冷却装置を示す図である。
【図７】ランプ光源の冷却装置の冷却風の状態を示すものであり、（ａ）は実施形態に係るランプ光源の冷却装置の吹出速度分布を示すグラフ図、（ｂ）は比較例に係るランプ光源の冷却装置の吹出速度分布を示すグラフ図である。
【図８】（ａ）及び（ｂ）は吊り下げ設置した画像投射装置におけるランプ光源の加熱状態を示す図である。
【図９】本発明の第２実施形態に係るランプ光源の冷却装置のダクトを示す斜視図である。
【図１０】同ランプ光源の冷却装置のダクトを示す断面図である。
【発明を実施するための形態】
【０００９】
以下、本発明の実施形態に係るランプ光源の冷却装置、及び画像投射装置について説明する。図１は本発明の一実施形態に係る画像表示装置の一例としてのプロジェクターの構成を示す断面略図である。
プロジェクター（画像表示装置）１は、ランプ光源２と、ライトトンネル４と、カラーフィルタ６と、画像表示素子８と、照明光学系１５と、レンズ１６と、投射光学系２０と、筐体２５とを備える。ランプ光源２は、高圧水銀灯からなる。ライトトンネル４は、ランプ光源２からの光（入射光）の光量分布を一様にする照明均一化素子である。カラーフィルタ６は、ランプ光源２とライトトンネル４との間に配置され、ライトトンネル４に入射される光に時分割で色要素を重畳するものであり、カラーホイールで構成される。
【００１０】
画像表示素子８は、２次元的に配置された複数の微小ミラーを有し、個々の微小ミラーの傾き角度をオン状態とオフ状態で変化させることにより反射光の出射をオン・オフさせる反射型画像表示素子である。レンズ１６は、ライトトンネル４の出射端から画像表示素子８までの間に配置される。照明光学系１５は、第１折り返しミラー１７と第２折り返しミラー１８を有している。投射光学系２０は、画像表示素子８からの光を被投射面に投射する投射レンズを備える。筐体２５は、ランプ光源２、カラーフィルタ６、ライトトンネル４、画像表示素子８、照明光学系１５、及び投射光学系２０を内部に収容する。
【００１１】
図２はランプ光源の概略を示す模式図である。ランプ光源２は、図２に示すように、管球部３０、前側シール部３２、後側シール部３４、先端部３６とから概略構成されている。符号４０は反射器であり、管球部３０を内奥部に配置した状態で前方が笠状に広がっている。
ランプ光源２の冷却に際しては、管球部３０、前側シール部３２、後側シール部３４、先端部３６の適正温度が所定に規定されており、ランプ光源の寿命を延ばすためには各部の温度を所定の適正温度範囲内に収める必要がある。
【００１２】
先端部３６については温度上限のみが規定されているが、前側シール部３２、後側シール部３４、及び管球部３０については温度上限と温度下限の両方が規定されている。管球部３０では、管球内の対流により重力方向上側の温度が高くなる傾向があるため、重力方向上側を重点的に冷却する必要がある。管球部３０が冷却不足になって過熱すると、ガラスの白濁の進行が早まったり、歪みが生じたりする原因になる。逆に管球部３０が過冷却状態になると、黒化を招きランプ光源寿命を短くする原因になる。また管球内の気圧が上がりきらず、照度不足の原因にもなる。
【００１３】
図３は床置き設置した画像投射装置におけるランプ光源の加熱状態を示す図である。図３（ａ）はプロジェクター１の筐体内におけるランプ光源配置を示した概略図であり、（ｂ）はランプ光源の温度分布を示した図である。なお、本明細書において、上方向は重力に逆らった方向とし、下方向は重力が作用する方向をいう。一般的に使われている天地方向を適用すると、上は天の方向とし、下方向は地の方向とする。また、プロジェクター１が配置されるランプ光源２について図中Ｕ方向は、プロジェクター１を床置きしたときの上方向、Ｄ方向は、プロジェクター１を床置きしたときの下方向とする。このＵ方向、Ｄ方向は、プロジェクター１を吊り下げ状態として使用したときには、Ｕ方向が下側となり、Ｄ方向が上側となる。
【００１４】
通常、ランプ光源２はプロジェクター１の筐体２５に対して図３（ａ）に示すように横向きに設置され、スクリーンＳに画像が投影される。管球部３０は重力方向上側が高温になるため、図３（ｂ）に示すように上側が高温になる。即ち、プロジェクター１を床置きしたとき、Ｕ方向と上方向とが一致するため、ランプ光源２は内部において管球部３０のＵ方向側が高温となる。
【００１５】
図４は本発明の実施形態に係るランプ光源の冷却装置におけるランプ光源とランプ光源の冷却装置の配置状態を示す図であり、図４（ａ）は斜視図、（ｂ）は平面図、（ｃ）は冷却装置５０に正対した方向からの図、図４（ｄ）はランプ光源２の光軸を含む垂直面における断面図である。図５は本発明の実施形態に係るランプ光源の冷却装置を示す図である。
本実施形態に係るプロジェクター１では、ランプ光源２に対して図３に示す位置に冷却装置５０を固定して配置する。冷却装置５０は、冷却風を送風するファンであるシロッコファン６０と、このシロッコファン６０に接続されたダクト７０とから構成される。ダクト７０は、図５に示すように、流入開口７６と、吹出開口７７とを備え、シロッコファン６０の送風口６１に流入開口７６が接続され、吹出開口７７からランプ光源２に向けて冷却風を吹き出す。なお、ファンとしてシロッコファンの他、他の形式の遠心送風機や軸流送風機を使用することができる。
【００１６】
本実施形態では、冷却装置５０は、ランプ光源２からの光を遮らないように配置される。
【００１７】
冷却装置５０は、図４（ｂ）に示すように、平面図上でランプ光源２の光軸Ｏに対して傾斜した姿勢（光軸を回避した位置）にて配置される。また、冷却装置５０は、図４（ｃ）、（ｄ）に示すように、側面図又は断面図上で、ランプ光源２の光軸Ｏがシロッコファン６０の送風口６１の高さ方向の中央位置に配置されるようにしている。
本実施形態では、このような冷却装置５０をこのような位置及び姿勢で固定配置して、シロッコファン６０から冷却風を送風し、ダクト７０の作用によって管球部３０のＵ方向側に対して他の部分より高速の冷却風を吹き付けるようにしている。
【００１８】
以下、図５に基づいて冷却装置５０について説明する。
冷却装置５０は、シロッコファン６０の送風口６１に、ダクト７０を取付けて構成される。ダクト７０は、断面四角形の四角筒をなしており、上側案内板７１、下側案内板７２、及び両側板７３、７４を備える。ダクト７０は、送風口６１側に形成される流入開口７６からの冷風を案内して吹出開口７７から吹き出す。そして、ダクト７０の吹出開口７７は、シロッコファン６０の送風口６１と以下の関係を備える。
【００１９】
まず、本実施形態において、ダクト７０は、シロッコファン６０の送風口６１における上下方向の中央位置における水平面を基準面Ｐとしたとき、基準面Ｐより上側に位置する吹出開口７７における上側部分７７Ｕの開口面積を、基準面Ｐより上側に位置する送風口６１における上側部分６１Ｕの開口面積よりも小さくしている（第１の関係）。
次に、ダクト７０は、基準面Ｐより上側に位置するダクトの吹出開口７７における下側部分７７Ｄの開口面積を、基準面Ｐより下側に位置するファンの送風口６１における下側部分６１Ｄの開口面積よりも大きくしている（第２の関係）。
吹出開口７７は、上記条件を備えるため、結果的に下側部分７７Ｄは、上側部分７７Ｕより広い面積を備える。
なお、ダクト７０の流入開口７６の開口面積が、シロッコファン６０の送風口６１より小さいときは、吹出開口７７の上側部分７７Ｕ及び下側部分７７Ｄの開口面積の大きさは、流入開口７６との関係で定めることができる。
【００２０】
以上の構成により、送風口６１の上側部分６１Ｕからの冷却風は、下向きに傾斜した上側案内板７１によって狭められ、逆に下側部分６１Ｄからの冷却風は、下向きに傾斜した下側案内板７２によって広げられる。冷却風は基準面Ｐで厳密に分割（セパレート）されてはいないが、上側部分６１Ｕ及び下側部分６１Ｄからの冷却風は上側案内板７１、下側案内板７２及び側板７３、７４で形成される通路の形状変化の影響を受け上下方向において速度分布が変化する。そして、このとき、ダクト７０の吹出開口７７の全体の開口面積は変更されないので、ダクト７０の通風抵抗が増加することはない。
【００２１】
このダクト７０を使用したときの冷却風の速度分布を比較例との比較に基づいて説明する。図６は比較例に係るランプ光源の冷却装置を示す図である。冷却装置１００は、シロッコファン６０と、ダクト１１０とから構成される。シロッコファン６０は本実施形態のものと同一である。即ち、ダクト１１０は、シロッコファン６０の送風口６１における上下方向の中央位置における水平面を基準面Ｐとしたとき、基準面Ｐより上側に位置する吹出開口１１７における上側部分１１７Ｕの開口面積と、基準面Ｐより上側に位置する送風口６１における上側部分６１Ｕの開口面積とが同一である。また、ダクト１１０は、基準面Ｐより下側に位置する吹出開口１１７における上側部分１１７Ｄの開口面積と、基準面Ｐより上側に位置する送風口６１における上側部分６１Ｕの開口面積とが同一である。
【００２２】
以下に本実施形態に係るダクト７０と、比較例に係るダクト１１０との吹出風速のシミュレーション結果を示す。図７はランプ光源の冷却装置の冷却風の状態を示すものであり、（ａ）は本実施形態に係るランプ光源の冷却装置の吹出速度分布を示すグラフ図であり、（ｂ）は比較例に係るランプ光源の冷却装置の吹出速度分布を示すグラフ図である。比較例に係る冷却装置１００では、ダクト１１０の吹出開口１１７の上側では、風速が約４．５ｍ／ｓであったところが、本実施形態に係る冷却装置５０では、ダクト７０の吹出開口７７の上側において約５．５ｍ／ｓと風速が向上した。また、吹出開口１１７の下側では、風速が約４．５ｍ／ｓであったところ、吹出開口７７の下側では、約４ｍ／ｓと風速が低下した。このように、本実施形態に係る冷却装置５０では、ダクト内での上下方向で風速に偏りが生じ、ダクト７０上方の風速が増加し、下方の風速が低下していることが分かる。
【００２３】
本実施形態に係る冷却装置５０によれば、ダクト７０の下側部分７７Ｄよりも上側部分７７Ｕの風速を高めることができ、ランプ光源の管球部上部を重点的に冷却することができる。
なお、上記第１の関係と、第２の関係とは、両方とも備えることが望ましいが、一方の関係だけを有していても、吹出開口７７からの冷却風は上側部が下側部より高速度となり、ランプ光源の管球部上部を重点的に冷却することができる。
【００２４】
＜第２実施形態＞
次に第２実施形態に係るランプ光源の冷却装置５０Ａについて説明する。プロジェクター１は図３に示した床置き設置の状態の他、吊り下げ設置され、スクリーンＳに画像が投影されことがある。図８は吊り下げ設置した画像投射装置におけるランプ光源の加熱状態を示す図である。この状態では、図８（ａ）に示すように、ランプ光源２のＵ方向が下側に向き、同じくＤ方向が上側を向く。このため、図８（ｂ）に示すように、ランプ光源２の管球部３０において床置きでは低温だったＤ方向側が高温に、高温だったＵ方向側が低温になる。つまり設置姿勢により、ランプ管球部は温度分布が変わることになる。
【００２５】
そこで、床置き設置、吊り下げ設置どちらの設置状態においても、ランプ光源２の高温になる側を重点的に冷却することが必要となる。そこで、第２実施形態に係る冷却装置５０Ａでは、プロジェクター１の姿勢に応じて、ダクト８０の形状を変更する。この形状の変更は重力の作用により行わせるものとし、他の動力を必要としない。
【００２６】
図９は本発明の第２実施形態に係るランプ光源の冷却装置のダクトを示す斜視図、図１０は同ランプ光源の冷却装置のダクトを示す断面図である。
ダクト８０は、２枚の側板８３、８４、固定上側案内板９１、及び固定下側案内板９２で構成されたダクト本体９０と、固定上側案内板９１の送風方向下流側に軸９３によって上下方向へ回動可能に取付けられた上側案内板８１と、固定下側案内板９２の送風方向下流側に軸９４によって上下方向へ回動可能に取付けられた下側案内板８２と、を備える。固定上側案内板９１及び固定下側案内板９２の軸９３、９４は、固定上側案内板９１、固定下側案内板９２の吹出開口８８側、即ち、送風方向下流側に配置される。つまり、軸９３、９４は、固定上側案内板９１、固定下側案内板９２の送風方向下流側に配置されて、軸９３、９４は、固定上側案内板９１、及び／又は、固定下側案内板９２の下流側部位である上側案内板８１、及び／又は、下側案内板８２を上下方向へ回動可能とする。
【００２７】
ダクト本体９０のシロッコファン６０側には、流入開口８９が形成されている。側板８３、８４は、上流側よりも面積がテーパー状に拡開した拡開部８３ａ、８４ａを備える。この拡開部８３ａ、８４ａは、上側案内板８１及び下側案内板８２が配置される一端側を吹出開口８８に向けて広がる台形状として形成される。また、側板８３、８４の内側面には、各板の間を塞いで冷却風が流出するのを防止する空気漏れ防止部材、例えば発泡樹脂、植毛部材等を配置する。
【００２８】
また、上側案内板８１、下側案内板８２は、図１０に示すように、夫々の重心ｇが軸９３、９４より吹出開口側、即ち吹出開口８８に近接して配置されている。このため、上側案内板８１及び下側案内板８２の吹出開口８８側を厚肉とすることや、錘を付加することができる。また、上側案内板８１及び下側案内板８２の動きを連動させるため、両者の先端を連結するロッドを設けることができる。
これらの構成により、ダクト８０において、上側案内板８１及び下側案内板８２の回転を円滑に行わせることができる。さらに、上側案内板８１及び下側案内板８２には、各軸９３、９４と共に回転する回転片８５と、側板８３、８４に配置された一対の突起部８６、８６から構成されるストッパ８７を備える。これより、上側案内板８１及び下側案内板８２の位置（傾斜姿勢）を確定できる。なお、ストッパ８７に代え、側板８３、８４の内側に突起を設けて、上側案内板８１及び下側案内板８２が所定の位置で停止させることができる。
【００２９】
本実施形態に係る冷却装置５０Ａでは、プロジェクター１の上下を反転させると、ダクト８０の上側案内板８１及び下側案内板８２が、軸９３、９４を中心に重力で回動して、ストッパ８７で停止する位置まで回動する（図１０中に仮想線で示した）。これにより、第１実施形態の冷却装置５０におけるダクト７０と同じ条件とすることができる。即ち、送風口６１における上下方向の中央位置における水平面を基準面Ｐとしたとき、基準面Ｐより上側に位置する吹出開口８８における上側部分８７Ｕの開口面積を、基準面Ｐより上側に位置する送風口６１における上側部分６１Ｕの開口面積よりも小さく形成した状態とできる。
このとき、ダクト８０は、同様に、基準面Ｐより上側に位置するダクトの吹出開口８８における下側部分８７Ｄの開口面積を、基準面Ｐより下側に位置するファンの送風口６１における下側部分６１Ｄの開口面積よりも大きく形成できる。
【００３０】
本実施形態に係る冷却装置５０Ａによれば、床置き設置、吊り下げ設置のどちらの状態態にも対応して、ランプ光源２の管球部の加熱位置を重点的に冷却することができる。
【００３１】
＜本発明の実施態様例の構成、作用、効果＞
＜第１態様＞
本態様は送風口６１から冷却風を送風するシロッコファン６０と、シロッコファン６０の送風口６１に接続され、吹出開口７７からランプ光源２に向けて冷却風を吹き出すダクト７０と、を備えるランプ光源の冷却装置において、シロッコファン６０の送風口６１における上下方向の中央位置における水平面を基準面Ｐとしたとき、基準面Ｐより上側に位置する吹出開口７７における上側部分７７Ｕの開口面積を、基準面Ｐより上側に位置するシロッコファン６０の送風口６１における上側部分６１Ｕの開口面積よりも小さく形成したことを特徴とする。
本態様によれば、吹出開口７７の上側部分７７Ｕから吹き出す冷却風の速度が、下側部分７７Ｄから吹き出す冷却風より早くなる。これにより、ダクト７０で通風抵抗を増すことなくランプ光源２の加熱箇所である管球部３０の上部を効果的に冷却できる。
【００３２】
＜第２態様＞
本態様は、本態様は送風口６１から冷却風を送風するシロッコファン６０と、シロッコファン６０の送風口６１に接続され、吹出開口７７からランプ光源２に向けて冷却風を吹き出すダクト７０と、を備えるランプ光源の冷却装置において、シロッコファン６０の送風口６１における上下方向の中央位置における水平面を基準面Ｐとしたとき、基準面Ｐより下側に位置するダクト７０の吹出開口７７における下側部分７７Ｄの開口面積を、基準面Ｐより下側に位置するシロッコファン６０の送風口６１における下側部分６１Ｄの開口面積よりも大きく形成したことを特徴とする。
本態様によれば、吹出開口７７の下側部分７７Ｄから吹き出す冷却風の速度が、上側部分７７Ｕから吹き出す冷却風より遅くなる。これにより、ダクト７０で通風抵抗を増すことなくランプ光源２の加熱箇所である管球部３０の上部を効果的に冷却できる。
【００３３】
＜第３態様＞
本態様は、ランプ光源の冷却装置において、ダクト８０は、上側案内板８１、下側案内板８２、及び対向する２枚の側板８３、８４を備え四角筒状に構成されてなり、上側案内板及び下側案内板のうちの少なくとも一方の送風方向下流側部位が上下方向へ回動可能であることを特徴とする。
本態様によれば、プロジェクター１の設置状態により変化する冷却装置５０Ａの姿勢により、上側案内板８１、下側案内板８２が軸９３、９４を中心として回動して、風速の高くなる箇所が入れ替わる。これにより、プロジェクター１が床置き設置であっても吊り下げ設置であっても、ランプ光源２の加熱箇所である管球部３０の上部を効果的に冷却できる。
【００３４】
＜第４態様＞
本態様は、前記ランプ光源の冷却装置において、上側案内板８１及び下側案内板８２は、重心ｇの位置が吹出開口８８側にあることを特徴とする。
本態様によれば、重心ｇの位置が吹出開口８８側にあるため、上側案内板８１及び下側案内板８２は、プロジェクター１の姿勢変化に対応して確実に回動する。これにより、プロジェクター１が床置き設置であっても吊り下げ設置であっても、ランプ光源２の加熱箇所である管球部３０の上部を確実に冷却できる。
【００３５】
＜第５態様＞
本態様は、前記ランプ光源の冷却装置において、上側案内板８１及び下側案内板８２と両側板８３、８４との間には、各板の間を塞いで前記冷却風が流出するのを防止する空気漏れ防止部材が配置されていることを特徴とする。
本態様によれば、上側案内板８１、下側案内板８２及び側板８３、８４で構成されるダクト８０の各板の間からの冷却風の漏れを防止できる。これにより、プロジェクター１が床置き設置であっても吊り下げ設置であっても、ランプ光源２の加熱箇所である管球部３０の上部を効果的に冷却できる。
【００３６】
＜第６態様＞
本態様は、前記ランプ光源の冷却装置において、両側板８３、８４には、上側案内板８１又は下側案内板８２の位置を規制するストッパ８７を備えることを特徴とする。
本態様によれば、上側案内板８１及び下側案内板８２は、ストッパ８７で位置決めされる。これにより、プロジェクター１が床置き設置であっても吊り下げ設置であっても、ランプ光源２の加熱箇所である管球部３０の上部を確実に冷却できる。
【００３７】
＜第７態様＞
本態様は、ランプ光源２と、前記ランプ光源の冷却装置５０Ａと、ランプ光源２からの光で画像を投影する投影光学系とを備えることを特徴とする画像投射装置である。
本態様によれば、ランプ光源２はその加熱位置を効果的に冷却できる。これにより、ランプ光源を最適な冷却状態とすることができ、ランプ光源の劣化を防止できる。
【符号の説明】
【００３８】
１：プロジェクター（画像投影装置）、２：ランプ光源、５０：冷却装置、６０：シロッコファン（ファン）、６１：送風口、６１Ｕ：上側部分、６１Ｄ：下側部分、７０：ダクト、７１：上側案内板、７２：下側案内板、７３、７４：側板、７６：流入開口、７７：吹出開口、７７Ｕ：上側部分、７７Ｄ：下側部分、
【先行技術文献】
【特許文献】
【００３９】
【特許文献１】特許５３７８１１２号公報
【図１】
2016162724.tif 000003
【図２】
2016162724.tif 000004
【図３】
2016162724.tif 000005
【図４】
2016162724.tif 000006
【図５】
2016162724.tif 000007
【図６】
2016162724.tif 000008
【図７】
2016162724.tif 000009
【図８】
2016162724.tif 000010
【図９】
2016162724.tif 000011
【図１０】
2016162724.tif 000012